(57)【要約】【課題】外観が良好で、集尿袋を安定して装着でき、尿漏れや臭いの発生もなく、女性だけでなく男性の使用もそのまま可能な排尿用具を提供せんとする。【解決手段】人間の泌尿器を覆う部分に開口部を有する繊維材料で構成したパンツ状の着衣体と、前記開口部に装着手段を介して取り付けられる集尿袋と、前記集尿袋を収容するために前記着衣体に設けられた収容ポケットと、を備え、前記装着手段は、前記泌尿器の部分を囲む大きさの導尿口部を有する平板リング状を呈したところの可撓性材質の装着部材と、この装着部材に重ね合さて固着されたれたところの同じく前記泌尿器を囲む大きさの開口部を有する柔軟な材質のパッド部材とを有し、前記集尿袋の入口を前記各導尿口部と連通させると共に、前記装着手段は前記開口部の近傍に取り付けた係止装着部材を介して前記開口部に対して着脱自在に取り付けられるように成したことで解決した。【選択図】図２
2019181052.tif 000002
【特許請求の範囲】
【請求項１】
少なくとも女性の外陰部を覆う部分に開口部を設けたところの伸縮性のある繊維材料で構成したパンツ状の着衣体と、
前記着衣体の開口部に装着手段を介して取り付けられる集尿袋と、
前記集尿袋を収容するために前記着衣体に設けられた収容ポケットと、を備え、
前記装着手段は、前記外陰部の部分を囲む大きさの導尿口部を有する平板リング状を呈したところの可撓性材質の装着部材と、この装着部材が外陰部と接触する側に重ね合わせて固着されたところの同じく前記外陰部を囲む大きさの導尿口部を有する柔軟な材質のパッド部材とを有し、前記集尿袋の入口部分を前記導尿口部と連通させると共に、前記装着手段は前記開口部の近傍に取り付けた係止装着部材を介して前記開口部に対して着脱自在に取り付けられるように成したことを特徴とする、排尿用具。
【請求項２】
前記装着部材と前記パッド部材には、前記女性用の導尿口部の上側か或は単独で男性の陰茎部分を挿通させる陰茎挿入部を前記集尿袋と連通させて設けたことを特徴とする、請求項１に記載の排尿用具。
【請求項３】
前記収容ポケットは、その入口部分を前記開口部に対して取り付けられていることを特徴とする、請求項１又は２のいずれか１項に記載の排尿用具。
【請求項４】
前記係止装着部材が、面ファスナーであることを特徴とする、請求項１乃至３のいずれか１項に記載の排尿用具。
【請求項５】
前記集尿袋内に、吸水シート及び又は消臭紙を前記集尿袋の入口側に露出させて収容したことを特徴とする、請求項１乃至４のいずれか１項に記載の排尿用具。
【請求項６】
前記吸水シートが、吸収した尿に溶解してゼリー状に変化する材質であることを特徴とする、請求項５に記載の排尿用具。
【発明の詳細な説明】
【技術分野】
【０００１】
本発明は、泌尿器の手術を受けた人や、排尿コントロールが困難な高齢者等の人達、或はドライブ中の渋滞時や災害時などにトイレや簡易トイレなどでの排尿が困難な状況に置かれることが予測される人達等が、予めパッドやオムツを装着したり、或は下着を脱いで排尿補助具を装着したりすることなく排尿ができ、かつ活動も制限されず、使い勝手も良く、外観的にも良好なように工夫した、とくに女性には好適であると共に、そのまま男性も兼用可能な排尿用具に関する。
【背景技術】
【０００２】
尿漏れ或はトイレ等で正常に排尿することが困難な人に対する排尿用具として一般的なものは紙オムツであるが、使用感の悪さ、使用部位のかぶれ、取替え処理の煩雑さ、コスト高など種々の問題があり、これに代わる排尿用具が種々開発されてきている。
【０００３】
とくに男性用の排尿用具としては、下記特許文献１と２に記載されているように、男性の陰茎部に装着できる尿袋を着脱可能に取り付けることのできる装着部材を用いたものが公知であるが、このものは女性用としては不向きである。さらに女性用に用いることのできるものとしてはあまり多くはないが、下記特許文献３に記載されたものが公知である。このものは使用時に下着を脱いで泌尿器の部分に装着させるものであることから、身体の不自由な人や、排尿感覚のない人には不向きである。また、女性用として下記特許文献４に記載されているように、紙オムツの股下に開口部を設け、この開口部に尿袋を取り付けたものも公知でありこのものは、身体の不自由な人や、排尿感覚のない人にも使用可能であるが、使用中に使用者が動いて紙オムツが緩んだ際には尿が漏れてしまい、紙オムツとあまり変わらない状態となってしまうという問題があった。
【０００４】
このような従来品の問題点を解消するため、本発明者は先に下記特許文献５において、装着が簡単であり、かつ就寝時或は起居時のどちらにおいても使用でき、さらに装着した状態で自由に動き回ることができるように工夫した排尿用具を開示した。即ち、特許文献５に記載の排尿用具は、主として女性用のもので、外陰部を覆う部分に開口部を設けた、伸縮性のある繊維材料で構成したパンツ状の着衣体と、伸縮性を有し前記着衣体の前記開口部に前記外陰部を覆った状態で装着でき、かつ取り外すことのできるバンド部材と、このバンド部材が外陰部に当接する部分に設けた装着孔に装着手段を介して取り付けられる集尿袋と、前記着衣体に設けられた前記集尿袋を収容させる収容袋部とから成り、前記装着手段は、前記外陰部の部分を囲う大きさの開口部を有する平板リング状を呈し、前記集尿袋の入口部分に装着されるように構成したものであった。男性用には、前記バンド部材に設ける前記集尿袋の装着孔の位置と大きさを、女性用のものとは異ならせたものを用いるようになっていた。
【０００５】
しかしながら、この特許文献５に記載の排尿用具においては、パンツ状の着衣体の正面から集尿袋が露出して見えるため、必ずしも外観が良好でなく、また、着衣体への集尿袋の装着が安定しなかったり、装着者の姿勢や動きによっては集尿袋から尿が漏れ出る可能性があったり、女性用と男性用とでは、異なったバンド部材を用意する必要があるなどの問題があり、改善の余地があった。
【先行技術文献】
【特許文献】
【０００６】
【特許文献１】ＷＯ２０１１／０２４８６４号公報
【特許文献２】特開平１０−３１４２０４号公報
【特許文献３】特開２００３−１９９６８８号公報
【特許文献４】実開平４−２７９０９号公報
【特許文献５】特開２０１６−５２３９３号公報
【発明の概要】
【発明が解決しようとする課題】
【０００７】
本発明は、上記観点に立ってなされたものであり、その目的とするところは、外観が良好で、集尿袋を安定して装着でき、集尿袋から尿が漏れたり、臭いが生じたりすることもなく、女性だけでなく男性の使用も可能なように工夫された排尿用具を提供せんとするにある。
【課題を解決するための手段】
【０００８】
上記目的を達成するために本発明に係る排尿用具は、少なくとも女性の外陰部を覆う部分に開口部を設けたところの伸縮性のある繊維材料で構成したパンツ状の着衣体と、前記着衣体の開口部に装着手段を介して取り付けられる集尿袋と、前記集尿袋を収容するために前記着衣体に設けられた収容ポケットと、を備え、前記装着手段は、前記外陰部の部分を囲む大きさの導尿口部を有する平板リング状を呈したところの可撓性材質の装着部材と、この装着部材が外陰部と接触する側に重ね合わせて固着されたところの同じく前記外陰部を囲む大きさの導尿口部を有する柔軟な材質のパッド部材を有し、前記集尿袋の入口を前記各導尿口部と連通させると共に、前記装着手段は前記開口部の近傍に取り付けた係止装着部材を介して前記開口部に対して着脱自在に取り付けられるように成したことを特徴とする。
【０００９】
その際に本発明は、男女兼用或は男性専用の排尿用具として、前記装着部材と前記パッド部材には、前記女性用の導尿口部の上側か或は単独で男性の陰茎部分を挿通させる男性用の導尿口部を前記集尿袋と連通させて設けるものである。
【００１０】
上記各発明において、前記収容ポケットは、前記開口部に対して取り付けられていることを特徴とする。
【００１１】
さらに、本発明において、前記係止装着部材は、面ファスナーであることを特徴とする。
【００１２】
さらに、本発明において、前記集尿袋内に、吸水シート及び又は消臭紙を前記集尿袋の入口側に露出させて収容したことを特徴とする。
【００１３】
そして本発明において、前記吸水シートは、吸収した尿に溶解してゼリー状に変化する材質であることを特徴とする。
【発明の効果】
【００１４】
本発明は、以上のように構成したので、着衣体の前面に設けたフラップ布＠によって集尿袋は覆い隠されるため外観が損なわれることはなく、集尿袋の装着部材は、着衣体の内面の開口部の上下に設けた係止装着部材によって係着されるため、装着中の位置ずれを防止できることにより、尿漏れを有効に防止でき、さらに集尿袋内には吸水シート及び消臭紙を収容したことにより、集尿袋内の尿は吸水シートに吸収され、また吸水シートの材質によってはゼリー状に変化することによって、装着者の姿勢や動きに関係なく集尿袋から漏れ出ることはなく、また、消臭紙の効果によって臭いが漏れ出ることもなく、更にまた、パッド部材に女性用の導尿口部と合わせて、或は単独で男性用の陰茎挿入部を設けることにより、男性の使用もそのまま可能となる、等々の多くの効果が得られるものである。
【図面の簡単な説明】
【００１５】
【図１】本発明に係る排尿用具を身体へ装着させてみた状態を示す説明図である。
【図２】図１に示す排尿用具を、集尿袋を収容ポケットに装着させずに持ち上げて見た状態を示す正面図である。
【図３】図２に示した排尿用具をその前後方向の中央部で縦方向へ切断し、開口部の部分を裏側から見た背面図である。
【図４】図２に示した排尿用具において、その開口部に装着手段を介して集尿袋を収容ポケットに装着させた状態の正面図である。
【図５】図４に示した状態で着衣体をその前後方向の中央部で縦方向へ切断し、装着手段の部分を裏側から見た断面図である。
【図６】装着手段とこの装着手段に取り付けた集尿袋の説明図である。
【図７】図６に示した集尿袋とその装着手段及びパッド部材の分解斜視図である。
【図８】図６に示したパッド部材の展開図である。
【図９】図１〜図８に示した排尿用具の装着作業時の説明図である。
【図１０】図１〜図８に示した排尿用具の集尿袋の装着方法を示す説明図である。
【図１１】図１〜図８に示した排尿用具の集尿袋のもう１つの装着方法を示す説明図である。
【図１２】図１〜図８に示した排尿用具の集尿袋の取り外し方法を示す説明図である。
【発明を実施するための形態】
【００１６】
以下に本発明に係る排尿用具を図面に示した望ましい実施例に基づいて説明する。
【実施例】
【００１７】
図１に示したように、本発明の排尿用具１は、この排尿用具１を構成する着衣体２を丁度パンツを穿くようにして身体Ａに装着させることができる点に特徴があり、装着した状態で、行動が制限されない上に、就寝時においても使用が可能である。図１〜図８において、本発明の好適な実施例に係る男女兼用の排尿用具１は、その主体部２ａの女性の泌尿器の外陰部を覆う部分に開口部２ｂを設けたところの伸縮性のある繊維材料（例えば木綿）を用いて縫製したパンツ状の着衣体２と、この着衣体２の開口部２ｂに装着手段３を介して取り付けられる集尿袋６と、着衣体２の開口部２ｂに挿入口２ｇを取り付けた収容ポケット２ｆとから構成される。前記装着手段３は、前記外陰部の部分を囲む大きさの開口部４ｂを有する平板リング状を呈したところの可撓性材質の装着部材４と、この装着部材４が外陰部と接触する側に重ね合わされて固着されたところの同じく前記外陰部を囲む大きさの導尿口部５ｄを有する柔軟な材質のパッド部材５と、装着部材４が主体部２ａと接触する側に重ね合わされて固着されたところの装着部材４と略同様の平板リング状を呈する被係止部材９とから構成され、収容ポケット２ｆは、挿入口２ｇを着衣体２の開口部２ｂに縫い付け、或は一体編み込みなどの手段で設けられている。しかしながら、この収容ポケット部２ｆの着衣体２に対する取付方法は、この実施例のものに限定されない。本願特許出願人の先の特許出願である特開２０１６−５２３９３号公報に記載されているように取り付けてもよい。
【００１８】
また、男女兼用の排尿用具１は、実施例に示したように、装着手段３のパッド部材５に設けた導尿口部５ｄの上部に男性の泌尿器の陰茎挿入部５ｆを設けるものである。さらに、図示はしてないが、男性専用の排尿用具は、装着手段３に陰茎挿入部５ｆのみを設けるものである。
【００１９】
以下に男女兼用の排尿用具１について説明するが、実施例に示した装着手段３のパッド部材５に設けた女性用の導尿口部５ｄから、男性用の陰茎挿入部５ｆを省略させればそれは女性専用となるものであり、女性用の導尿口部５ｄを省略すれば、それは男性専用となるものである。
【００２０】
とくに、図１と図２に示したように、着衣体２の前記開口部２ｂは、主体部２ａに縫い付けられたところの友布でやや厚めに形成した一対の対向布２ｃ、２ｄの側縁２ｃ−１、２ｄ−１によって形成されている。前記一対の対向布２ｃ、２ｄのうち、一方の対向布２ｄは、その上下の端縁２ｄ−３側と、端縁２ｄ−４側が主体部２ａに縫い付けられ、開口部２ｂと反対側の上下方向に延びる側縁２ｄ−２も主体部２ａに縫い付けられている。もう一方の対向布２ｃも、上下の端縁２ｃ−３側と、端縁２ｃ−４側が主体部２ａに縫い付けられ、開口部２ｂとは反対側の側縁２ｃ−２が主体部２ａに縫い付けられている。
【００２１】
前記収容ポケット２ｆは、実施例のものは、その挿入口２ｇが着衣体２の前記開口部２ｂの両側に縫い付けられたものが示されているが、このものに限定されない。収容ポケット２ｆが開口部２ｂの片側にのみ縫い付けられたものでもよい。しかし、実施例のように構成すると、着衣体２の開口部２ｂへ装着手段３を装着する際に、先に集尿袋６を着衣体２の開口部２ｂから集尿袋６を収容ポケット２ｆへ簡単に挿入収容させることができ、その後に、装着手段３を開口部２ｂへ簡単に装着できるので、集尿袋６の装着が容易となる利点がある。
【００２２】
集尿袋６は、例えばポリエチレンフィルム製の可撓性の袋であり、その主体部６ａの一端に入口部分６ｂ（図６参照）がある。この集尿袋６はこれを透明にすると、排尿された尿の色を確認するのに便利である。集尿袋６の内部には、後述する吸水シート７と消臭紙８とが折り畳んで収納される。
【００２３】
集尿袋６を着衣体２の前記開口部２ｂへ装着させる装着手段３（図７参照）は、主体部４ａの中央部に装着者の膣部と尿道口を含む外陰部の周りを囲み、男性の陰茎部を挿入できる形と大きさの開口部４ｂを有する略楕円形状を呈した孔開き平板リング状の装着部材４と略同形状の被係止部材９と、前記着衣体２の開口部２ｂを形成する一対の対向布２ｃ、２ｄにそれぞれ設けられた一対のマジックテープ（登録商標）などの面ファスナーから成る係止装着部材２ｈ、２ｉとを備える。装着部材４の上面、即ち、装着者の外陰部と対向する面にはパッド部材５が重ね合せられ、このとき装着部材４の上面とパッド部材５の下面とは、集尿袋６の入口部分６ｂを間に挟んで、例えば両面粘着テープやボンド等の接着剤で接合され、これにより集尿袋６の入口部分６ｂに装着部材４とパッド部材５とが取り付けられる。
【００２４】
装着部材４は、可撓性を有する厚紙製あるいは合成樹脂製のもので、着衣体２の開口部２ｂへ出し入れさせることができるものである。図示した実施例において、この装着部材４の主体部４ａに形成した開口部４ｂは、その上端側（図７において右下方向）へ向けて拡大した拡張開口部４ｃを有し、男性による使用時にこの拡張開口部４ｃへ陰茎を挿入できるようになっている。
【００２５】
前記着衣体２の開口部２ｂを形成する一対の対向布２ｃ、２ｄにそれぞれ取り付けられた前記一対の面ファスナーから成る係止装着部材２ｈ、２ｉは、被係止部材９と共に前記装着手段３を構成する。これらの係止装着部材２ｈと２ｉは、被係止部材９をそれぞれ取り付けることによって装着手段３が開口部２ｂからずれたり、外れたりするのを有効に防止できるものである。なお、実施例のものは、係止装着部材２ｈ、２ｉが、開口部２ｂの右側及び左側の近傍に取付けられているが、このものに限定されない。係止装着部材２ｈ、２ｉが、開口部２ｂの上側及び下側の近傍に取付けられていてもよい。
【００２６】
装着部材４と略同様の外形を有し、装着者の身体Ａに接するように装着部材４の上面に重ね合わせられるパッド部材５は、装着者の泌尿器の部分を囲う大きさの導尿口部５ｄと陰茎挿入部５ｆを有する平板状のもので、泌尿器の部分にあてがわれても違和感のない柔軟性と弾力性のある不織布等の素材で、吸水性を有するもので作製される。これらの導尿口部５ｄの内周縁は、図示する如く波形に形成され、漏れ出た尿の吸収効率を高めるようになっている。さらに、このパッド部材５の図示した実施例において、前記装着部材４の前記拡張開口部４ｃに対応する領域には、所定の輪郭の切れ目５ｇによって男性が使用するときの陰茎挿入部５ｆが設けられている。即ち、前記切れ目５ｇで囲まれた部分に陰茎を押し入れると、図８において破線で示す折れ曲がり部５ｈが曲がって挿入でき、前記装着部材４の前記拡張開口部４ｃを通じて集尿袋６内まで挿入できるようになっている。装着部材４と略同様の外形を有し、装着部材４の下面に重ね合わせられる被係止部材９は、平板状のもので、面ファスナーである係止装着部材２ｈ、２ｉに形成されたフックが引っ掛かるルームが形成されている不織布等の素材で作製される。被係止部材９は、装着部材４に両面粘着テープやボンド等の接着剤で接合される。被係止部材９は、装着部材４の下面で係止装着部材２ｈ、２ｉに係着されているので、被係止部材９や係止装着部材２ｈ、２ｉが使用者に接触することはない。このため、使用者に違和感を生じさせることなく、安定して使用させることができる。なお、実施例のものは、被係止部材９が装着部材４と略同形状に作製されているが、このものに限定されない。被係止部材９が、係止装着部材２ｈ、２ｉと同じ形状に作製されていてもよい。
【００２７】
集尿袋６内に収納される吸水シート７及び消臭紙８は、これらを集尿袋６内に収納する際には、これを収納しやすい形状に折り畳んで収納するようにする。折り畳みの形態は自由であるが、なるべく収容ポケット２ｆの形態に合わせて矩形状を呈するように折り曲げ、そのいずれかの縁部側が集尿袋６の入口から露出するようにして、排泄器から排尿された尿がすぐに接触できるようにすることが望ましい。
【００２８】
吸水シート７は、吸水性繊維を用いた不織布が好適に用いられ、１０００ｃｃ程度の吸水が可能で、好適には吸水によって溶解してゼリー状に変化する高分子吸水シートを用いることが望ましいが、必ずしもこれに限定されるものではない。消臭紙８としては、例えば、不織布の繊維間に例えば梅の種を焼いて梅炭とし、これを粉状にしたものを漉き込んでクレープ紙としたようなものを好適に用いることができる。梅炭は、空孔の大きさが備長炭よりも小さくて、数の多いことが知られており、そのため吸着率が高く、消臭、脱臭、調湿効果に優れている。ただし、消臭紙８の形態は、これに限定されるものではない。このようなシート状の消臭紙８を前記吸水シート７と接合したものを用いることにより、顆粒状、球状、粉末状などの消臭剤を、集尿袋６の入口部分６ｂからこぼれ出ないように更に袋等に入れて収納するよりも、効率的である。
【００２９】
次に、本発明に係る排尿用具１の使用方法について説明する。本発明に係る排尿用具１は、１枚の着衣体２と、吸水シート７及び消臭紙８がそれぞれ収納された複数枚の集尿袋６とがセットで販売されるものである。まず、その着衣体２を使用者が装着してから、その着衣体２に集尿袋６を取り付ける場合の使用方法について説明する。この場合、図９と図１０（１）に示したように、着衣体２の上部を前方に引き下ろし、次いで、図１０（２）で示したように、着衣体２の開口部２ｂの内側から、集尿袋６の主体部６ａを着衣体２の収容ポケット２ｆの挿入口２ｇから収容ポケット２ｆ内に挿入収容させる。次いで、図１０（２）に示すように、集尿袋６の入口部分６ｂに取り付けてある前記被係止部材９を着衣体２の開口部２ｂの周囲にあてがった状態で押し当てて、被係止部材９を係止装着部材２ｈに係着させ、同様に、被係止部材９に係止装着部材２ｉを係着させる。これにより、装着部材４及びパッド部材５は着衣体２の開口部２ｂに安定的に取り付けられる。次いで、図１０（３）に示すように、着衣体２の上部を元に戻し、着衣体２内から収容ポケット２ｆの内部まで手指を差し入れたりして、集尿袋６の主体部６ａが着衣体２の収容ポケット２ｆ内に十分に挿入されるように調整する。収容ポケット２ｆ内に集尿袋６の主体部６ａを十分に挿入した後、収容ポケット２ｆを所望の位置にすることにより、集尿袋６の装着作業が完了する。装着された集尿袋６は収容ポケット２ｆで覆い隠され、正面から見えなくなる。
【００３０】
次に、図１１を参照して、着衣体２を使用者が装着する前に、予め集尿袋６を着衣体２に取り付けておき、外出先などでの装着作業を容易にするような場合の使用方法について説明する。この場合、図１１（ａ）に示すように、未装着の着衣体２を開口部２ｂが見える状態でテーブル等の上に置き、集尿袋６の主体部６ａを収容ポケット２ｆの挿入口２ｇから収容ポケット２ｆ内へ収納し、図１１（ｂ）に示した状態とする。次いで、図１１（ｂ）に示すように、集尿袋６の入口部分６ｂに取り付けてある前記被係止部材９を着衣体２の開口部２ｂの周囲にあてがった状態で押し当てて、被係止部材９を係止装着部材２ｈに係着させ、同様に、被係止部材９に係止装着部材２ｉを係着させる。次いで、図１１（ｃ）に示すように、着衣体２の上部を元に戻し、着衣体２内から収容ポケット２ｆの内部まで手指を差し入れたりして、集尿袋６の主体部６ａが着衣体２の収容ポケット２ｆ内に十分に挿入されるように調整する。このように予め集尿袋６が取り付けられた着衣体２を装着すれば、図１０（３）と同様の装着状態が得られる。
【００３１】
上記の如く集尿袋６が装着された排尿用具１を装着した女性が、立った状態で排尿すると、尿はパッド部材５の導尿口部５ｄと装着部材４の開口部４ｂを通じて集尿袋６内に集められることになる。その際に尿道口から洩れた尿は、パッド部材５を構成する不織布等に吸収される。また、集尿袋６内に集められた尿は、吸水シート７に吸収され、この吸収された尿によって吸水シート７が溶解してゼリー状となることにより、集尿袋６から尿が漏れ出ることが防止される。また、集尿袋６内には消臭紙８も収納されているため、集尿袋６の外部へ匂いが漏れるのを可及的に防止することができるものである。この際に、吸水シート７のいずれかの縁部が集尿袋６から露出するように装着すると、排泄器から排尿された尿がすぐに給水シート７に接触して吸収されることから、尿漏れを有効に防止できることは前述した。
【００３２】
また、本発明に係る排尿用具１は、女性が寝た状態、あるいはベッドや車いすに座った状態でも使用することができ、椅子に座った状態で使用する場合には、椅子から乗り出すようにして集尿袋６が股間より下になるように片足を伸ばすか膝を下げるようにすると、よりスムーズに排尿することが可能になる。また、尿意があり夜間頻尿の人の場合には、ベッドから起き上がって、少し腰を浮かすか、ベッドから足を下ろして少し腰を上げることにより、スムーズに排尿ができ、簡易トイレを用いる煩雑さを解消でき、或はトイレへ移動中に転倒する事故を未然に防止することができるものである。
【００３３】
集尿袋６は、尿量にもよるが、１回使用するごとに交換することが望ましい。また、着衣体２は、繰り返し洗濯をして用いることができる。
【００３４】
次に、使用後に集尿袋６を着衣体２から取り外す方法について図１２により説明する。その場合、図示した実施例においては、図１２（１）に示したように集尿袋６内に集められた尿が、前記吸水シート７の溶解によりゼリー状となった状態で溜まっている。この集尿袋６を取り外すときは、図１２（２）に示す如く、着衣体の上部を引き降ろし、被係止部材９を係着している係止装着部材２ｈ及び２ｉを被係止部材９の両端から引き離し、次いで図１２（３）に示す如く装着部材４及びパッド部材５を適宜折り曲げて引き上げることにより、図１２（４）に示す如く集尿袋６を着衣体２の開口部２ｂから取り外すことができる。その際、集尿袋６内の尿は前記の如くゼリー状となっているので、こぼれる虞れがなく、衛生的に尿の処理を行うことができる。
【００３５】
次に、前記図１〜図８に示した本発明に係る排尿用具１を、男性が用いる場合には、女性の場合と同様に、例えば着衣体２を装着した後、集尿袋６を前記装着手段３を介して着衣体２に取り付ける。次いで、装着者である男性は、その陰茎を前記パッド部材５に設けた前記切れ目５ｇによって形成される陰茎挿入部５ｆに押し付けると、前記の如く図８において破線で示すパッド部材５の折れ曲がり部５ｈが曲がって陰茎が陰茎挿入部５ｆ内へ挿入され、前記装着部材４の前記拡張開口部４ｃを通じて集尿袋６内まで挿入できる。したがって、この状態で男性が排尿すると、排出された尿は女性の場合と同様に集尿袋６に貯留され、図示した実施例においては、吸水シート７に吸収されてゼリー状となって溜められると共に、消臭紙８の作用により集尿袋の外部へ匂いが漏れ出ることもない。
【００３６】
本発明に係る排尿用具１を装着後、通常の排尿が可能な状況の場合には、装着している着衣体２を排尿することができる程度におろすことにより、排尿することが可能である。通常の排尿をした後は、上述したようにして、再度集尿袋６を装着することもできる。或いはまた、集尿袋６を取り外すことなく、通常通り着衣体２を下ろして、便器に排尿したりすることも可能である。尚、着衣体２は図示した実施例ではパンツ形状であるが、これをＴ字帯や褌に変えても良く、それらを含めて本発明では「パンツ状」と称する。本発明に係る排尿用具を用いる対象となる人は、女性、男性、太った人、痩せた人など様々である。この点を考慮して、着衣体２は大、中、小の３種類を用意するものである。なお、図１に示す如く、実施例では収容ポケット２ｆを向かって右側に位置させているが、左側に位置させることも勿論可能である。これは例えば、就寝時に右側と左側のどちらを下にして就寝する習性のある人であっても、尿漏れを防止できる点で有利である。
【産業上の利用可能性】
【００３７】
本発明は、以上のように構成したので、排尿障害のある人たちは日常的に、或は排尿障害のない人たちでも、例えば車の渋滞が予測されるドライブに先立ち、本発明に係る排尿用具を予め身体に装着させておくことができる、下着感覚の排尿用具として、パッドやオシメなどのように排尿後の不快感を与えることなく、好適に用いることができるものである。その場合、本発明では、集尿袋の装着部材が、着衣体の内面の開口部の上下に設けた係止装着部材によって係着されるため、安定して取り付けられ、それによって尿漏れが防止され、集尿袋内には吸水シート及び消臭紙を収容したことにより、袋内の尿は吸水シートに吸収され、また吸水シートの材質によっては尿に溶解した吸水シートがゼリー状に変化することによって、装着者の姿勢や動きに関係なく袋から漏れ出ることはなく、また、消臭紙の効果によって臭いが漏れ出ることもなく、更にまた、パッド部材に男性の陰茎部を挿通可能な切れ目を設けることにより、男性の使用もそのまま可能となる、等々の多くの利点が得られるものである。
【符号の説明】
【００３８】
Ａ      身体
ａ      外陰部
ｂ      陰茎部
１      排尿用具
２      着衣体
２ａ    主体部
２ｂ    開口部
２ｃ、２ｄ  対向布
２ｆ    収容ポケット
２ｇ    挿入口
２ｈ、２ｉ  係止装着部材（面ファスナー）
３      装着手段
４      装着部材
４ａ    主体部
４ｂ    開口部
４ｃ    拡張開口部
５      パッド部材
５ａ    主体部
５ｃ    折り畳み部
５ｄ    導尿口
５ｆ    陰茎挿入部
５ｇ    切れ目
５ｈ    折れ曲がり部
６      集尿袋
６ａ    主体部
６ｂ    入口部分
７      吸水シート
８      消臭紙
９      パッド部材
【図１】
2019181052.tif 000003
【図２】
2019181052.tif 000004
【図３】
2019181052.tif 000005
【図４】
2019181052.tif 000006
【図５】
2019181052.tif 000007
【図６】
2019181052.tif 000008
【図７】
2019181052.tif 000009
【図８】
2019181052.tif 000010
【図９】
2019181052.tif 000011
【図１０】
2019181052.tif 000012
【図１１】
2019181052.tif 000013
【図１２】
2019181052.tif 000014